(57)【特許請求の範囲】
【請求項１】
被記録媒体を再生する再生システムであって、
耐水性を有する基質と、前記基質の少なくとも一方の面に、水又は水性液又は水分粒子により溶解又は膨潤する未硬化水溶性高分子材料を含む中間層と、前記基質側の面とは異なる前記中間層の面に、前記水又は水性液又は水分粒子に対する通過性を有し、かつ、前記中間層の溶解又は膨潤により、崩壊又は前記中間層との接着状態が弛緩される受容層とを備え、少なくとも前記受容層に画像が形成されている前記被記録媒体に対し、水又は水性液又は水分粒子を用いて前記受容層及び前記中間層を除去する画像消去手段と、
前記画像消去手段により残された基質に対し、中間層及び受容層を元の位置にコーティングする再生コーティング手段と、
を備える再生システム。
【請求項２】
前記画像消去手段は、
水又は水性液を前記受容層に供給する供給手段と、
前記供給手段により供給された水又は水性液により前記中間層が溶解又は膨潤した状態で、前記中間層及び前記受容層を擦掃する擦掃手段と、
を備える請求項１記載の再生システム。
【請求項３】
前記水分粒子を用いて前記受容層及び前記中間層を除去する場合、
前記画像消去手段は、
前記被記録媒体が当接される開口部と、
外部からの空気を通す通気路を介して導気された空気が吸引され、前記開口部に前記被記録媒体が当接されることで生じる旋回気流により洗浄媒体が飛翔する内部空間と、
前記洗浄媒体が飛翔する領域に前記水分粒子を噴霧する噴霧手段と、を有する筐体であって、
前記噴霧された水分粒子を含んだ前記洗浄媒体が、前記開口部に当接された前記被記録媒体に衝突することで、前記受容層及び前記中間層を除去する請求項１記載の再生システム。
【請求項４】
前記水分粒子を用いて前記受容層及び前記中間層を除去する場合、
前記画像消去手段は、
前記被記録媒体が当接される開口部と、
外部からの空気を通す通気路を介して導気された空気が吸引され、前記開口部に前記被記録媒体が当接されることで生じる旋回気流により洗浄媒体が飛翔する内部空間と、を有する筐体と、
霧状の前記水分粒子を含むミストを生成するミスト生成手段と、を備えるクリーニング装置であって、
前記生成されたミストが前記内部空間に導入されることで、前記水分粒子を含んだ前記洗浄媒体が、前記開口部に当接された前記被記録媒体に衝突して前記受容層及び前記中間層を除去する請求項１記載の再生システム。
【請求項５】
前記再生コーティング手段は、
前記基質の一方の面に、中間層をコーティングする第１コーティング手段と、
コーティングされた前記中間層の前記基質側の面とは異なる面に、受容層をコーティングする第２コーティング手段と、
を備える請求項１乃至４いずれか一項に記載の再生システム。
【請求項６】
前記基質に記憶媒体が含まれる場合、
前記記憶媒体に記憶された情報を消去する情報消去手段をさらに備える請求項１乃至５いずれか一項に記載の再生システム。
【請求項７】
前記記憶媒体は、ＲＦＩＤタグである請求項６記載の再生システム。
【請求項８】
前記画像は、記録ヘッドにより吐出される親水性を有する画像形成材料により形成される請求項１乃至７いずれか一項に記載の再生システム。
【発明の詳細な説明】
【技術分野】
【０００１】
本発明は、被記録媒体を再生する再生システムに関する。
【背景技術】
【０００２】
従来から、書き換え可能な可逆性感熱記録媒体が望まれており、この可逆性感熱記録媒体の研究がなされている。また、可逆性感熱記録媒体を再生する様々なシステムがある。
【０００３】
例えば、特許文献１には、ＩＣタグを有する可逆性感熱記録媒体に対し、ＩＣタグに書き込まれた情報を削除し、可逆性感熱記録媒体を洗浄し、可逆性感熱記録媒体に形成された画像を消去するシステムが開示されている。
【０００４】
また、このような可逆性感熱記録媒体は、製造業分野の工程管理や工程指示、倉庫関連分野の貨物管理や在庫管理、医療関連分野の業務管理、商品管理など様々な産業分野で用いられる。
【０００５】
一方で、作業者は、脂などの汚れが付着した手でこの可逆性感熱記録媒体を取り扱うことが多いため、この可逆性感熱記録媒体には汚れなどが付着しやすい。そこで、特許文献２には、可逆性感熱記録媒体に付着した汚れを除去するための特殊な洗浄液が開発されている。
【発明の概要】
【発明が解決しようとする課題】
【０００６】
しかし、従来技術の可逆性感熱記録媒体は、書き換えが可能となる熱可逆性記録層が、感熱式などでプリントされるため、高解像度を望むことができず、また、フルカラー化が困難であった。
【０００７】
また、可逆性感熱記録媒体に油などの汚れが付着した場合には、その機能を失わないために、特殊な洗浄液が必要となっていた。
【０００８】
そこで、本発明は上記問題に鑑みてなされたものであり、フルカラーにも対応可能な被記録媒体を再生することができ、油などの汚れを容易に除去することができる再生システムを提供することを目的とする。
【課題を解決するための手段】
【０００９】
本発明の一態様における再生システムは、被記録媒体を再生する再生システムであって、耐水性を有する基質と、前記基質の少なくとも一方の面に、水又は水性液又は水分粒子により溶解又は膨潤する未硬化水溶性高分子材料を含む中間層と、前記基質側の面とは異なる前記中間層の面に、前記水又は水性液又は水分粒子に対する通過性を有し、かつ、前記中間層の溶解又は膨潤により、崩壊又は前記中間層との接着状態が弛緩される受容層とを備え、少なくとも前記受容層に画像が形成されている前記被記録媒体に対し、水又は水性液又は水分粒子を用いて前記受容層及び前記中間層を除去する画像消去手段と、前記画像消去手段により残された基質に対し、中間層及び受容層を元の位置にコーティングする再生コーティング手段と、を備える。
【発明の効果】
【００１０】
本発明によれば、フルカラーにも対応可能な被記録媒体を再生することができ、油などの汚れを容易に除去することができる。
【図面の簡単な説明】
【００１１】
【図１】実施の形態１における被記録媒体の一例を示す断面図。
【図２】実施の形態１における被記録媒体の一例を示す図。
【図３】実施の形態１におけるドットパターンの一例を示す図。
【図４】画像消去装置の構成の一例を示す図。
【図５】再生コーティング装置の構成の一例を示す図。
【図６】画像消去、情報消去、再生の一連の動作の具体例を示す図。
【図７】画像消去装置の処理の一例を示すフローチャート。
【図８】再生コーティング装置の処理の一例を示すフローチャート。
【図９】被記録媒体１の販売システムの一例を示す図。
【図１０】実施の形態２における乾式クリーニング装置の基本構成の一例を示す概要断面図。
【図１１】実施の形態２における乾式クリーニング筐体の使用状態を示す概要側面図。
【図１２】実施の形態３における乾式クリーニング装置の使用状態を示す概要側面図。
【発明を実施するための形態】
【００１２】
以下、本発明の実施の形態１を図面に基づいて説明する。
［実施の形態１］
実施の形態１では、種々の記録方式により、例えば、親水性を有する画像形成材料で形成された画像及び／又は署名欄を有する被記録媒体に対し、この画像形成材料の除去及び被記録媒体の再生に適用できる。
【００１３】
また、実施の形態１は、例えば、インクジェット記録方式による画像及び／又は署名欄を有する被記録媒体に対し、この画像形成材料の除去及び被記録媒体の再生に適している。よって、以下、記録方式として、インクジェット記録方式を例にして実施の形態１を説明する。まず、被記録媒体１の構成について説明する。
【００１４】
＜被記録媒体＞
図１は、実施の形態１における被記録媒体１の一例を示す断面図である。図１に示す被記録媒体１は、耐水性を有する基質（支持体）１０の一方の面上に中間層２０が設けられ、基質１０側の面とは異なる中間層２０の面上には画像形成材料４０を受容するための受容層３０が設けられる。画像形成材料４０は、親水性を有する。
【００１５】
（基質）
実施の形態１における基質（支持体）１０は、後述する画像形成材料の除去液（以下、単に除去液ともいう）の供給により変質しない耐水性があるものが好ましい。また、基質１０は、記憶媒体５０を含んでもよい。記憶媒体５０は、例えば、ＲＦＩＤ（Radio Frequency IDentification）タグなどの無線ＩＣチップである。以下、記憶媒体５０は、ＲＦＩＤタグを例にして説明する。
【００１６】
基質１０にＲＦＩＤタグ５０が埋め込まれている場合は、除去液の供給によっても、ＲＦＩＤタグ５０の性能が損なわれない基質１０が好ましい。
【００１７】
また、基質１０としては、高級印刷用紙、電子写真用記録用紙、及び感熱記録紙等を用いることができる。特に可逆性感熱記録紙は記録層がサーマルヘッドによる繰返し画像形成と画像消去に耐えられるように表面に硬化樹脂層を有するものが多く、このような可逆性感熱記録紙は、基質１０として好ましく用いることができる。
【００１８】
基質１０としては、透明支持体、不透明支持体のいずれも使用することができる。また、基質１０は、所望により下塗層等、その余の層を有していてもよい。
【００１９】
基質１０の厚さは、使途等によっても異なるが、３０μｍ〜１０００μｍであることが好ましく、６０μｍ〜８００μｍであることがより好ましい。厚さは使途やシートサイズ、材質等によっても異なる。例えば、基質１０にＲＦＩＤタグ５０を埋め込む場合は、通常６００μｍ〜８００μｍと比較的厚くなる。
【００２０】
なお、基質１０は、上記の通り、感熱記録媒体や熱転写記録媒体などを用いることもでき、この種の基質１０のうち典型例としての可逆性感熱記録媒体は、同出願人の特願２０１０−１９７３９５号を参照されたい。
【００２１】
（中間層）
インクジェット用の被記録媒体１の場合、基質１０に中間層２０を設けるとすると、例えば、ラテックスと称する親水性高分子材料又は本来疎水性高分子材料の水系エマルジョン塗工液が用いられてきた。多量の強力な乳化剤として、界面活性による本来水不溶性樹脂の強制的な乳化物がある。
【００２２】
これにより、基質１０表面および受容層３０の双方との強固な接着性を得て、また、印字されたインクによるビーデイング防止、ブリーデイング防止を図ることができる。一方で、多量の強力な乳化剤の使用による弊害は既に知られている。水溶性樹脂塗工液を稀に用いたときには、構成する樹脂と化学結合可能な官能基を有する架橋剤で架橋反応処理されてきた。従来技術においては、主に、強固な接着性出現が考慮され、水又は水系液体を付与することによる中間層の削除を志向したものでないから当然ではある。
【００２３】
これに対し、実施の形態１における中間層２０は、除去液の供給により溶解又は膨潤する未硬化水溶性高分子材料を主成分として含有するものである。ここで、「主成分」とは、乾燥重量で６０％以上であることを意味する。実施の形態１における被記録媒体１の中間層２０は、本発明の目的を損なわない範囲で、無機微粒子、有機微粒子、少量の界面活性剤、酸化防止剤、レベリング剤等々の各種副成分を所望により含有することができる。
【００２４】
実施の形態１における被記録媒体１の中間層２０に用いる水溶性高分子材料は、それ自体成膜性があり、基質１０及び受容層３０の接着性に優れるが、除去液の供給により、溶解又は膨潤して基質１０との接着性を減少するものである。受容層３０との接着性も著しく減少するが、これは本発明においては不可欠ではない。中間層２０に用いられる水溶性樹脂については、同出願人の特願２０１０−１９７３９５号を参照されたい。
【００２５】
また、中間層２０は、受容層３０が収容しきれなかったインク（画像形成材料）を受容してもよい。そのため、中間層２０は、さらなる画像のチリ防止、滲み防止のため、かつ乾燥時の皮膜硬度を保持させるためにシリカ、酸化チタン、アルミナ、酸化亜鉛、炭酸カルシウム等の無機微粒子やアクリル、スチレン等の樹脂微粒子を添加してもよい。かかる無機微粒子を添加する場合、水溶性樹脂１００重量部に対して１〜５０重量部、好ましくは１〜２０重量部添加することができる。
【００２６】
また中間層２０は、通水性を上げるために必要に応じてカチオン性界面活性剤等の帯電防止処理を施してもよい。帯電防止剤は、受容層３０を形成する材料に添加してもよいし、受容層３０を形成した後に、適当な溶媒に溶解・分散させたものを塗布するようにしてもよい。さらに、中間層２０の劣化防止のため、紫外線吸収剤や酸価防止剤を含有させてもよい。紫外線吸収剤や酸価防止剤の添加量は、５重量％以下であることが好ましい。
【００２７】
（受容層）
実施の形態１における受容層３０は、インクジェット記録ヘッドから送られてきたインク滴を、ビーデイング、ブリーデイングなしに好適に受容し画像形成するためのものである。この点では、通常のインクジェットにおける光沢記録紙のインク受容層と本質的に大きな差異はない。しかし、従来は通常、そのためのインク着色料を吸収する多量の無機微粒子、有機微粒子とこれらを固定するための少量のバインダー樹脂を含む塗工液を塗工、乾燥することにより形成していた。
【００２８】
これに対し、実施の形態１における受容層３０は、後述する画像形成材料の除去処理過程で、下層である中間層２０への充分な通水性（通過性）をも有するものである。画像形成材料は、例えば、インクジェットインクの着色料である。また、受容層３０は、中間層２０の除去液による溶解又は膨潤により、崩壊又は中間層２０との接着状態が弛緩される。
【００２９】
また、通常のインクジェットにおける光沢記録紙のインク受容層の場合よりも、無機微粒子、有機微粒子添加量は零または非常に少なく、材料のほとんどは樹脂であることが好ましい点で、受容層３０と従来のインク受容層とは技術思想を異にする。
【００３０】
インク吸収のためのＢＥＴ表面積の比較的大きい微粒子の添加量は、控え目であることが好ましく、その分、層厚は若干厚くてよい。添加量は、例えば、バインダー樹脂１００部当たり、５０部以下、好ましくは３０部以下、より好ましくは２５部以下とする。
【００３１】
受容層３０中に浸透し、受容層３０から漏れたインク液は、実施の形態１の場合、下の中間層２０が受け止めてくれる。
【００３２】
実施の形態１における受容層３０は、着色料を含むインクジェット記録用インク液を吸収、受容するための微粒子を含んでいてもよい樹脂材料を含む。また、更に所望により、安定剤、分散剤、増粘剤、消泡剤、酸化防止剤、湿潤剤、紫外線吸収剤、耐水化剤等の各種の助剤を配合した水溶液あるいは水系のエマルジョンからなる塗工剤の塗工層として受容層３０は形成されてもよい。なお、受容層３０の詳細な成分などについては、同出願人の特願２０１０−１９７３９５号を参照されたい。
【００３３】
受容層３０の厚さは、受容層３０によるインク吸収作用が十分であり、受容層３０の形成作業が良好に行えるように、１〜１２０μｍ、好ましくは２〜６０μｍ程度である。厚さが１μｍに満たない場合は、皮膜化したときの耐水性、耐摩傷性、耐候性などの耐環境性か向上の効果が十分でないおそれがあるので好ましくない。
【００３４】
以上のように、再生可能な被記録媒体１は、上記構成を有することで、例えば、インクジェット記録に対応することができ、フルカラー化にも対応できる。フルカラーとは、例えば、ＲＧＢ（青、緑、赤）の各色を８ビット（３２階調）で表現する。
【００３５】
＜画像形成材料＞
実施の形態１における画像形成材料４０は、親水性液媒体中に着色料及び所望により添加される他の補助材料を含むものである。着色料は、例えば、通常のインクジェットインクに含まれる各種染料及び顔料である。なお、使用されるインク組成物については、同出願人の特願２０１０−１９７３９５号を参照されたい。
【００３６】
＜被記録媒体の用途＞
以下、上述した被記録媒体１を、工程管理用に用いる場合の実施の形態１について説明する。図２は、実施の形態１における被記録媒体１の一例を示す図である。図２に示す被記録媒体１は、画像形成材料４０により、画像７０や署名欄６０が形成されている。画像７０は、工程名「Ａ−１」を示す。画像は、他にも生産機種や工場名、組立チェックシートなどが形成されているが、工程名「Ａ−１」７０を例にして説明する。
【００３７】
図２に示す被記録媒体１の例では、ＲＦＩＤタグ５０が被記録媒体１に埋め込まれている。ＲＦＩＤタグ５０は、データを記録、消去可能な構成になっている。なお、ＲＦＩＤタグ５０は、必ずしも被記録媒体１に必要なものではない。
【００３８】
＜システム＞
図３は、図２の被記録媒体１を用いて工程管理を行うシステムの一例を示す図である。図３に示す例では、工程管理を行うシステムは、情報処理装置（例えば、ホストコンピュータ）１００、プリンタ（例えば、インクジェットプリンタ）２００、被記録媒体１、筆記ペン３００、ＲＦＩＤリーダーライター４００を有する。ＲＦＩＤリーダーライター４００は、作業現場に設置される。ＲＦＩＤリーダーライター４００は、ＲＦＩＤアンテナを有する。
【００３９】
情報処理装置１００と、プリンタ２００と、ＲＦＩＤリーダーライター４００とは、それぞれネットワークを介してデータの送受信が可能となっている。また、プリンタ２００は、ＲＦＩＤタグへのデータの書き込み及び読み込みが可能なＲＦＩＤリーダーライター２０１が内蔵されている。ＲＦＩＤリーダーライター２０１は、ＲＦＩＤアンテナを有する。
【００４０】
図３に示す実施の形態１における工程管理システムでは、被記録媒体１は、「ＧＸ３３００」という機種の工程「Ａ−１」という工程管理用に使用される。以下、この工程「Ａ−１」を作業する人が、「ＸＸＸ」さんの場合について説明する。
【００４１】
ＲＦＩＤタグ５０には、例えば、固有の識別情報（固有ＩＤ）と、組み立てる機種「ＧＸ３３００」を認識するデータと、「ＸＸＸ」さんが作業する工程「Ａ−１」を認識するデータとが記憶される。これらのデータは、情報処理装置１００からプリンタ２００に送られ、プリンタ２００は、被記録媒体１のＲＦＩＤタグ５０に、ＲＦＩＤリーダーライター２０１を用いて書き込む。
【００４２】
プリンタ２００は、情報処理装置１００から被記録媒体１に印刷するデータを取得すると、図２に示すように、作業工程を表す文字、写真等の画像等を印刷する。なお、画像は、バーコードなどであってもよい。また、プリンタ２００は、記録ヘッドからインク（画像形成材料）を吐出して、署名欄６０を被記録媒体１の表面の一部に印刷する。
【００４３】
（作業内容）
ここで、作業内容について説明する。「ＸＸＸ」さんが、作業「ＧＸ３３００」という機種の工程「Ａ−１」の作業をする場合、被記録媒体１をＲＦＩＤリーダーライター４００にかざす。ＲＦＩＤリーダーライター４００は、被記録媒体１のＲＦＩＤタグ５０に記憶された組み立てる機種「ＧＸ３３００」を認識するデータを読み取る。
【００４４】
読み取られたデータは、情報処理装置１００に送信され、情報処理装置１００は、「ＧＸ３３００」に対応する作業指示を、表示画面に表示する。
【００４５】
「ＸＸＸ」さんは、表示画面に表示された作業指示に従い組立を行い、作業を終えると、被記録媒体１上のチェックシートに従い、作業を確認する。「ＸＸＸ」さんは、チェックシートの確認が終わると、印刷された署名欄６０に、筆記ペン３００を用いて手書きで作業者名をサインする。上述した作業が作業標準になっている。
【００４６】
筆記ペン３００は、油性ペン、水性ペン、鉛筆など筆記データを可視化できるものであれば何でもよい。
【００４７】
ここで、図３に示す被記録媒体１には、作業中に油などの汚れ８０が付着しているとする。上述したような作業を終えた被記録媒体１は、印刷された画像、手書きされた筆記データ、油などの汚れ８０を含む。次に、この被記録媒体１を再生する再生システムについて説明する。
【００４８】
＜再生システム＞
再生システムは、画像、筆記データ、汚れなどを除去する画像消去手段と、記憶媒体５０のデータを消去する情報消去手段と、被記録媒体１を元の状態に戻す再生コーティング手段とを備える。以下、画像消去手段、情報消去手段に対応する画像消去装置５００、再生コーティング手段に対応する再生コーティング装置６００について、順に説明する。
【００４９】
なお、情報消去手段は、画像消去装置５００とは独立して設けられても、再生コーティング装置６００内に設けられてもよく、また、画像消去手段、情報消去手段、再生コーティング手段を１つの装置に設けてもよい。
【００５０】
（画像消去装置）
被記録媒体１を初期化する場合、被記録媒体１に印刷された画像、署名欄６０、筆記データ、汚れ８０などを消去する必要がある。また、ＲＦＩＤデータ５０に書き込まれたデータ情報を一度消去し、初期化する必要がある。
【００５１】
図４は、画像消去装置５００の構成の一例を示す図である。図４に示す画像消去装置５００は、実施の形態１における被記録媒体１の画像、署名欄６０及びＲＦＩＤタグ５０のデータを消去するのに適している。
【００５２】
実施の形態１における被記録媒体１の画像消去方法は、被記録媒体１の画像保持面（中間層２０及び受容層３０）に水又は水性液を有する除去液（画像形成材料の除去液）を供給する除去液供給処理と、被記録媒体１の画像保持面を擦掃する擦掃処理を含む。これらの処理は同時に進行してもよいが、図４に示す例の画像消去装置５００においては逐次遂行される。
【００５３】
図４に示される画像消去装置５００において、被記録媒体１は、搬送ローラ対５０１により装置内に搬送され、除去液の付与箇所で画像材料除去液槽５０２内の除去液が加圧され液噴射ノズル５０３（供給手段）から被記録媒体１表面に噴射（供給）される。
【００５４】
液噴射ノズル５０３は、複数のノズルヘッドからなるノズルアレイであってもよく、また、スリット式の噴射ヘッドであってもよい。除去液が画像形成材料を有する受容層３０面に付与され、中間層２０が膨潤される。
【００５５】
次に被記録媒体１は、擦掃処理に導かれ、保持ローラ対５０６と保持ローラ対５０７で保持された状態で、ブラシローラ５０８（擦掃手段）によりブラッシングされる。これにより、膨潤した中間層２０及び受容層３０が除去される。
【００５６】
しかし、実施の形態１においては、ブラッシングに代え、織布（擦掃手段）等による拭払であってもよい。図４に示すブラシクリーニングベルト５０９は、ブラシローラ５０８に付いたペースト状の屑を除去する。
【００５７】
その後、図４に示す例では、被記録媒体１は、残った中間層２０材料をより完全に除去するため、バックアップローラ５１０の助けのもとで、表面掃掻ブレ−ド５１１（擦掃手段）により屑材料が掻き取られる。その後、被記録媒体１は、トレー５１３上に排出されるが、このような表面掃掻ブレ−ド５１１は、実施の形態１において必ずしも必要なものではない。
【００５８】
さらに、画像消去装置５００内には、ＲＦＩＤタグ５０へのデータの書き込みが可能なリーダーライター５１２が内蔵されている。
【００５９】
ＲＦＩＤリーダーライター５１２は、画像消去装置５００により画像や筆記データ、汚れなどが消去された被記録媒体１内のＲＦＩＤタグのデータを消去する。この場合、被記録媒体１は、画像や筆記データ及びＲＦＩＤタグ５０のデータが無い状態でトレー６５１３に排出される。このように、画像除去処理後の被記録媒体１は、基質１０のみになっている。この例では、基質１０には、ＲＦＩＤタグ５０が内蔵されるが、必ずしも必要ではない。
【００６０】
（再生コーティング装置）
次に、被記録媒体１の再生について説明する。図５は、再生コーティング装置６００の一例を示す図である。再生コーティング装置６００は、中間層コーティング手段６１０、受容層コーティング手段６５０を備え、被記録媒体１を再生することができる。
【００６１】
中間層コーティング手段６１０は、中間層２０及び受容層３０が除去された被記録媒体１の基質１０上に中間層２０を再生コーティングする。また、受容層コーティング手段６５０は、中間層２０の上面に画像形成材料４０を浸透させる受容層３０を再生コーティングする。
【００６２】
また、再生コーティング装置６００は、中間層コーティング手段６１０及び受容層コーティング手段６５０の各工程を一定速度で、被記録媒体１を保持し、搬送するシート搬送装置６１１を有する。
【００６３】
中間層コーティング手段６１０は、中間層２０の材料を塗布するスプレーガン６１２を有し、ある一定の厚みに塗布するためにスプレーガン６１２のエアーを制御するスプレーエア制御装置６１３を有する。
【００６４】
中間層コーティング手段６１０は、中間層２０の塗布後の乾燥工程として、温風を発生させるヒータ６１５、温風を被記録媒体１に当てるファン６１４を有する。これにより、中間層２０を塗布後に、中間層２０の材料に温風を当て、材料を乾燥、結晶化して、定着させることができるようになる。
【００６５】
受容層コーティング手段６５０は、受容層３０の材料を塗布するスプレーガン６５１を有し、ある一定の厚みに塗布するためにスプレーガン６５１のエアーを制御するスプレーエア制御装置６５２を有する。
【００６６】
受容層コーティング手段６５０は、受容層３０の塗布後の乾燥工程として、温風を発生させるヒータ６５４、温風を被記録媒体１に当てるファン６５３を有する。これにより、受容層３０を塗布後に、受容層３０の材料に温風を当て、材料を乾燥、結晶化して、定着させることができるようになる。
【００６７】
再生コーティング装置６００は、被記録媒体１を搬送させながら指定量の中間層２０及び受容層３０の材料をそれぞれ塗布、定着可能な機構になっている。これにより、被記録媒体１の再生が完了する。
【００６８】
＜具体例＞
ここで、被記録媒体１の画像消去、情報消去、再生の一連の動作の具体例について説明する。生産する機種や各工程により、作業工程を表す文字、バーコード、写真等の画像等が代わり、被記録媒体１は、書き換えられる。
【００６９】
また、作業者も異なるため、署名欄にボールペンやマジックなどで書かれた筆記データも消去が必要となる。また、被記録媒体１に印刷されるレイアウトも機種や各工程により変更されるため、署名欄６０の位置や大きさも、必要に応じて変更される。
【００７０】
図６は、画像消去、情報消去、再生の一連の動作の具体例を示す図である。図６に示すように、被記録媒体１は、（１）〜（５）の状態に変化する。なお、各状態は、被記録媒体１の表面と、被記録媒体１の断面とを用いて説明する。
【００７１】
（１）の状態は、作業が終了した被記録媒体１の状態を示す。被記録媒体１は、まず、プリンタ２００により画像（画像７０を含む）、署名欄６０を画像形成材料４０により形成される。例えば、インクジェットのインクにより、画像７０、署名欄６０などが被記録媒体１に印刷される。
【００７２】
このとき、プリンタ２００のＲＦＩＤリーダーライター２０１は、例えば、ＲＦＩＤタグ５０の固有ＩＤ「ａ」を、印刷時などにＲＦＩＤタグ５０に書き込む。また、作業が終わると、作業者は、署名欄６０に筆記データ（作業者名）を手書きする。また、被記録媒体１には、作業中に汚れ８０が発生したとする。
【００７３】
（２）の状態は、（１）の状態の被記録媒体１に対して、画像消去処理を施した後の状態を示す。（１）の状態の被記録媒体１に対し、被記録媒体１を再利用するための画像消去が行われる。被記録媒体１は、画像消去装置５００により画像消去処理が行われ、画像７０、署名欄６０、汚れ８０などが消去される。
【００７４】
（３）の状態は、（２）の状態の被記録媒体１に対し、ＲＦＩＤタグ５０の情報を消去した状態を示す。ＲＦＩＤリーダーライター５１２は、被記録媒体１内のＲＦＩＤタグ５０に記憶されたデータを消去する。例えば、ＲＦＩＤリーダーライター５１２は、固有ＩＤなどを消去する。なお、固有ＩＤにアクセスできない場合は、固有ＩＤ以外をＲＦＩＤリーダーライター５１２により消去してもよい。このとき、被記録媒体１は、基質１０のみである。
【００７５】
（４）の状態は、画像及び情報消去後に、再生コーティング処理を施した状態を示す。（４）の状態の被記録媒体１は、再生コーティング処理により、基質１０の上に、中間層２０、受容層３０が再生されている。
【００７６】
詳しく説明すると、（３）の状態の被記録媒体１は、シート搬送装置６１１により、一定速度で中間層コーティング工程に搬送される。
【００７７】
中間層コーティング工程では、スプレーのエアーを制御するスプレーエア制御装置６１３により、中間層２０の材料をある所定厚みにエアーをコントロールし、スプレーガン６１２にて基質１０の上面に塗布する。
【００７８】
塗布された一定厚みの中間層２０材料を有する被記録媒体１はさらに搬送され、ヒータ６１５及びファン６１４により温風が当てられ、基質１０の上面に中間層２０材料が乾燥、結晶化して、定着する。
【００７９】
さらに、次の受容層コーティング工程では、スプレーのエアーを制御するスプレーエア制御装置６５２により、受容層３０の材料をある所定厚みにエアーをコントロールし、スプレーガン６５１により、結晶化した中間層２０の上面に塗布する。
【００８０】
塗布された一定厚みの受容層３０材料を有する被記録媒体１はさらに搬送され、ヒータ６５４及びファン６５３により温風が当てられ、中間層２０の上面に受容層３０材料が乾燥、結晶化して、定着する。
【００８１】
再生コーティング装置６００の一連の再生工程により、被記録媒体１の印刷が可能な初期化状態（４）となる。これにより、被記録媒体１は、再生初期化され、再利用される。
【００８２】
（５）の状態は、（１）の状態の作業とは異なる作業を行う場合の、画像、署名欄が印刷された状態を示す。（５）の被記録媒体１は、工程「Ａ−２」の場合の画像７０や署名欄６０などが印刷されている。（５）の被記録媒体１は、署名欄６０のサイズ、位置、画像７０の位置が（１）の状態の被記録媒体１とは異なる。これにより、被記録媒体１は、機種や工程内容などに応じて、形成される画像を変更したりすることができる。
【００８３】
なお、（５）の記録媒体１には、ＲＦＩＤタグ５０には、例えば固有ＩＤ「ｂ」が記憶されている。
【００８４】
＜動作＞
次に、再生システムの動作について説明する。図７は、画像消去装置５００の処理の一例を示すフローチャートである。図７に示すステップＳ１０１で、画像消去装置５００は、逆噴射ノズル５０３を用いて、除去液を被記録媒体１の画像などが形成された表面に供給する。
【００８５】
ステップＳ１０２で、画像消去装置５００は、ブラシローラ５０８などを用いて、中間層２０及び受容層３０を除去する。
【００８６】
ステップＳ１０３で、画像消去装置５００は、ＲＦＩＤリーダーライター５１２を用いて、ＲＦＩＤタグ５０に記憶されたデータを消去する。
【００８７】
これにより、被記録媒体１にインクで形成された画像や、手書きの筆記データや、油などの汚れがあったとしても、特別な洗浄液などを必要とせず、汚れなどを簡単な工程できれいに除去することができる。
【００８８】
図８は、再生コーティング装置６００の処理の一例を示すフローチャートである。図８に示すステップＳ２０１で、再生コーティング装置６００は、スプレーガン６１２などを用いて、被記録媒体１に中間層２０の材料を塗布する。
【００８９】
ステップＳ２０２で、再生コーティング装置６００は、ヒータ６１５やファン６１４を用いて、中間層２０の材料を乾燥する。
【００９０】
ステップＳ２０３で、再生コーティング装置６００は、スプレーガン６５１などを用いて、被記録媒体１に受容層３０の材料を塗布する。
【００９１】
ステップＳ２０４で、再生コーティング装置６００は、ヒータ６５４やファン６５３を用いて、受容層３０の材料を乾燥する。これにより、被記録媒体１を再生することができる。
【００９２】
＜販売システム＞
次に、上述した被記録媒体１の再生システムを用いて、被記録媒体を販売するシステムについて説明する。図９は、被記録媒体１の販売システムの一例を示す図である。
【００９３】
図９に示すように、実施の形態１では、ユーザーが使用した被記録媒体１をメーカーが回収し、メーカー側で第一の処理７００（画像消去手段、情報消去手段、及び再生コーティング手段による処理）により被記録媒体１を再生する。
【００９４】
この第一の処理により、被記録媒体１は、画像や油等汚れがなく、かつ、ＲＦＩＤタグ５０の保護されているデータ以外の全てのデータが消去された状態になる。
【００９５】
よって、メーカーは、この再生初期化済の被記録媒体１を再びユーザーに販売する。ユーザーは、購入した被記録媒体１に対し、第二の処理８００（情報書き込み手段、及び画像形成手段による処理）により、被記録媒体１を利用する。メーカーは、このような第二の処理８００をユーザーに提供する。
【００９６】
なお、画像消去手段、情報消去手段は、例えば画像消去装置５００により実現され、再生コーティング手段は、例えば再生コーティング装置６００により実現されうる。また、情報書き込み手段は、例えばＲＦＩＤリーダーライター２０１により実現され、画像形成手段は、例えばプリンタ２００により実現されうる。
【００９７】
上述した販売システムの場合、メーカーは、ユーザーに対し、再生品を販売しているが、有る期間決まった数量の再生品である被記録媒体１を所定の料金でレンタルするシステムでもよい。このレンタルシステムの場合、再生品である被記録媒体１だけでなく、新品の被記録媒体１０１を含めて、レンタルしてもよい。
【００９８】
以上、実施の形態１によれば、フルカラーにも対応可能な被記録媒体を再生することができ、油などの汚れを容易に除去することができる。
【００９９】
また実施の形態１における再生システムは、署名欄上に手書きで筆記されたとしても、この筆記データを消去することができる。
【０１００】
また、実施の形態１における被記録媒体は、高解像度が可能なインクジェットプリンタによる印刷が可能であり、フルカラーにも対応することができる。
【０１０１】
また、実施の形態１における被記録媒体は、無線ＩＣチップなどの記憶媒体を含んでもよく、作業効率を上げることができるようになる。
【０１０２】
［実施の形態２］
次に、実施の形態２における再生システムについて説明する。実施の形態２では、実施の形態１とは画像消去手段の構成が異なる。なお、画像消去手段の構成以外については、実施の形態１と同様であるため、以下では、実施の形態２における画像消去手段について説明する。実施の形態２における画像消去手段は、例えば、乾式クリーニング筐体又は乾式クリーニング装置である。
【０１０３】
まず、実施の形態２以降で用いる用語の定義を行う。実施の形態２以降における「筐体」とは、内側に旋回空気流を発生させやすい形状の空間を備えた容器状の構造物を示す。
【０１０４】
旋回空気流を発生させやすい形状とは、気流が筐体の内壁を沿って流れて循環する、連続した内壁を持つ形状であり、より望ましくは回転体形状の内壁または内部空間を備える形状である。
【０１０５】
「通気路」とは、気流を一定の方向に流れやすくする手段のことであり、滑らかな内面を備える管形状であることが一般的である。しかしながら、たとえば滑らかな面を持つ、板状の流路制御板などを用いても、気体を面に沿った方向に流れやすくする、整流効果が発現するため、このような形態も含めて通気路とする。
【０１０６】
また、気流が直線的に流れる形状が一般的であるが、流路抵抗をあまり生じない緩やかなカーブを備えていても整流効果を得ることができる。ただし、特に記載がない場合、通気路の方向とは空気流入口において噴出する気流の方向のことを意味する。
【０１０７】
直線の管形状を備え、一方の端部が筐体内壁の空気流入口に接続し、もう一方の端部が筐体外の大気に開放されている空気取り入れ口である通気路を、本発明では「インレット」と呼称する。インレットは、一般的に流体抵抗が低く、滑らかな内面を持ち、管の断面は円形、長方形、スリット形状などが用いられる。
【０１０８】
「旋回気流」とは、空気流入口からの流入気流により加速された気流が、筐体の内壁に沿って方向を変えつつ流れ、空気流入口の位置に、循環して戻り、流入気流と合流する気流である。気流を形成する流体が空気の場合には「旋回空気流」と同義である。一般的には、内壁が連続している閉空間内で、内壁の接線方向に向けて気流を流入させることにより発生する。
【０１０９】
なお、各実施の形態において、「水分」とは、水と、水に水以外の洗浄液を混合したものなどを含む概念をいう。
【０１１０】
図１０は、実施の形態２における乾式クリーニング装置９０２の基本構成の一例を示す概要断面図である。図１０（Ａ）は、Ａ−Ａ線での横断面図、図１０（Ｂ）は、Ｂ−Ｂ線での縦断面図である。
【０１１１】
乾式クリーニング装置９０２は、内部に洗浄媒体５の飛翔空間を有する乾式クリーニング筐体（以下、単に「筐体」という）９０４と、筐体９０４内を負圧化する吸気手段９０６とを備える。
【０１１２】
筐体９０４は、筐体本体部としての円筒形状の上部筐体９０４Ａと、逆円錐形状の下部筐体９０４Ｂとから一体として構成されている。ここでの上部、下部は図面上の便宜的呼称であって、実機上の上下とは必ずしも関係はない。
【０１１３】
下部筐体９０４Ｂは、その円錐頂部に吸気口９０８を一体に備えており、吸引ダクトとして機能する。
【０１１４】
吸気手段９０６は、吸気口９０８に一端を接続されたフレキシブルな吸引ホース９１０と、この吸引ホース９１０の他端に接続された吸引装置９１２とを有している。吸引装置９１２としては、家庭用掃除機、真空モータや真空ポンプ、あるいは流体の圧送により間接的に低圧化ないし負圧化を生じさせる装置などを適宜用いることができる。なお、部材の上面、底面等の上下の位置関係は図面上の基準にすぎない。吸気手段９０６は、気流発生手段に相当する。
【０１１５】
上部筐体９０４Ａの底面部は、下部筐体９０４Ｂの上端部を結合する嵌合凹部９０４Ａ−１となっており、上部筐体９０４Ａと下部筐体９０４Ｂは分離可能となっている。上部筐体９０４Ａの上面９０４Ａ−２は密閉されている。
【０１１６】
上部筐体９０４Ａの底面部における下部筐体９０４Ｂとの境界部分には、多孔手段としての多孔性の分離板９１４が設けられている。分離板９１４は、パンチングメタルのような穴が空いた板状の部材である。分離板９１４は、吸引されたときの洗浄媒体９０５の下部筐体９０４Ｂ側への移動を阻止するものである。図１０（Ａ）では分離板９１４の表示を一部省略している。なお、洗浄媒体９０５は分かり易くするためにその大きさを誇張表示している。
【０１１７】
多孔手段としては、洗浄媒体９０５を通さずに空気及び粉塵（洗浄対象物から除去された除去物）を通過させる大きさの細孔を多く備える多孔形状であればよく、スリット板や網などを用いてもよく、材質も滑らかな面を備えていれば、樹脂や金属などを自由に選択して良い。
【０１１８】
多孔手段は、旋回空気流の中心軸と直交する面として配置されている。旋回空気流の中心軸と直交することによって、多孔手段に沿う方向に気流が流れることにより、洗浄媒体９０５の滞留を防ぐ効果がある。
【０１１９】
旋回空気流の減衰を抑えるために、筐体内面は段差、凹凸がなく平滑であることが望ましい。
【０１２０】
多孔手段は、旋回空気流に沿った面に配置されることにより、表面に吸着した洗浄媒体を再飛翔させることができる。
【０１２１】
筐体９０４の材質は特に限定されないが、異物の付着や洗浄媒体との摩擦による消耗を防ぐために、例えばアルミ二ウムやステンレスなどの金属製が好適であるが、樹脂製のものを用いることもできる。
【０１２２】
上部筐体９０４Ａの内部中心には、上部筐体９０４Ａの円筒軸を共通の軸とするように、円筒状の流路制限部材９１６が筐体の一部として設けられ、流路制限部材９１６の下端は分離板９１４に固定されている。
【０１２３】
流路制限部材９１６は、旋回空気流の流路断面積を絞って流速を向上させる目的で設けられている。流路制限部材９１６により上部筐体９０４Ａ内には、滑らかな壁面を有するリング状の旋回空気流移動空間（洗浄媒体の飛翔空間）が形成されている。
【０１２４】
上部筐体９０４Ａの形状によっては、流路制限部材９１６の中心軸と上部筐体９０４Ａの中心軸を必ずしも共通にする必要はなく、リング状の空間が確保できていれば偏芯していても良い。
【０１２５】
上部筐体９０４Ａの側面の一部には、旋回空気流で飛翔する洗浄媒体９０５を洗浄対象物に接触ないし衝突させるための開口部９１８が形成されている。
【０１２６】
上部筐体９０４Ａは、直径に対して高さが極めて小さい円筒形状であり、その高さを形成する側面の一部に開口部９１８を設けることにより、筐体９０４全体としては、図１０（Ｂ）に示すように、開口部９１８以外の外周部分が洗浄対象物（例えば被記録媒体１）から大きく逃げる（離れる）レイアウトとなり、洗浄対象物に対する局所的当接、換言すればピンポイントクリーニングの自由度が高められている。
【０１２７】
開口部９１８は、上部筐体９０４Ａの側面を円筒軸に平行な平断面により切断した形状であり、円筒軸と直交する方向から見て矩形形状をなしている。
【０１２８】
上部筐体９０４Ａの側面には、空気流入口９２２が形成されており、空気流入口９２２には、旋回空気流発生手段で且つ通気路としてのインレット９２４が上部筐体９０４Ａの外方から接続されて上部筐体９０４Ａに一体に固定されている。
【０１２９】
インレット９２４は、分離板９１４に略平行に設定されており、その通気方向は、上部筐体９０４Ａの半径方向に対して傾き、その通気路中心の延長線が開口部９１８に達するように位置している。
【０１３０】
インレット９２４は、上部筐体９０４Ａの高さ方向に延びる幅を有している。インレット９２４は、上部筐体９０４Ａの高さよりも径又は幅が小さいものを１つ配置してもよく、単体のインレットを高さ方向に複数配置する構成としてもよい。
【０１３１】
図１０に示すように、開口部９１８が洗浄対象物に当接して塞がれると、筐体９０４内が閉空間としてなり、インレット９２４から外気が高速で流入し、この高速気流は洗浄媒体９０５を開口部９１８へ向けて加速させるとともに旋回気流としての旋回空気流９３０を生成する。
【０１３２】
閉空間が形成された時に生じる旋回空気流は、分離板９１４上に吸着した洗浄媒体を吹き払い、再飛翔させる効果を有する。
【０１３３】
開口部９１８は、開放されたときに、空気流入口９２２における内圧を、大気圧もしくはその近傍にするために十分な大きさの面積を備える。また、空気流入口９２２も、開口部９１８の開放時に大気圧もしくはその近傍になりやすい位置に配置される。
【０１３４】
このような構成を備えることにより、乾式クリーニング装置９０２を洗浄対象物に当てていない間は、空気流入口９２２が大気圧に近づくことによって、外部との差圧が低下し、その結果流入する気流が劇的に低減する。一方、開口部９１８から流入する気流は多くなるため、洗浄媒体９０５が筐体９０４内から漏れ出ることを防ぐことができる。
【０１３５】
また、開口部９１８が開放されている状態では、閉塞されている場合に比べて流入する気流の総量が２〜３倍になるため、とくに薄片状の洗浄媒体では多孔手段上に吸着されるため、再飛翔せず筐体の外に漏れることがない。これを開口部開放時における洗浄媒体吸着効果という。
【０１３６】
洗浄媒体９０５は、薄片状の洗浄片の集合であるが、ここでは薄片状の洗浄片単体としての意味でも用いている。
【０１３７】
薄片状の洗浄媒体とは、例えば面積が１ｍｍ２以上２００ｍｍ２以下の薄片である。また、洗浄媒体の材質はポリカーボネイト、ポリエチレンテレフタラート、アクリル、セルロース樹脂などの耐久性のある素材からなるフィルムであり、厚みは０．０２ｍｍ以上１．０ｍｍ以下である。
【０１３８】
但し、洗浄対象物によっては洗浄媒体の厚みやサイズや材質を変えることが効果的な場合もあり、これらの洗浄媒体を使用する場合も本発明の範囲に含まれるため、上記の洗浄媒体条件にはとらわれないものとする。
【０１３９】
洗浄媒体の材質に関しては、樹脂だけにとどまらず、紙、布などの薄片や、あるいは、雲母などの鉱物、セラミックやガラス、金属箔であっても、薄く軽量で飛翔しやすい形状にすることで使用することができる。
【０１４０】
上部筐体９０４Ａのリング状の内部空間９２６は、旋回空気流によって洗浄媒体９０５を飛翔させて開口部９１８に対向する洗浄対象物に接触させる機能を担う空間である。
【０１４１】
流路制限部材９１６の内部空間９３４は、旋回空気流が作用しない空間である。以下、上記構成を有する乾式クリーニング筐体の使用状態について説明する。
【０１４２】
図１１は、実施の形態２における乾式クリーニング筐体の使用状態を示す概要側面図である。図１１に示す例では、乾式クリーニング筐体としての筐体９０４は、通気路としてのインレット９２４内に図１に示す中間層２０を膨潤又は溶解する水又は洗浄液をミスト状に噴霧する加湿手段としての噴霧手段９５０を備える。この加湿手段は、洗浄媒体９０５の摩擦帯電を抑制する効果もある。ここでの洗浄対象物は、図１に示す被記録媒体１とする。
【０１４３】
噴霧手段９５０は、インレット９２４の側面に固定された噴霧ノズル９５２と、図示しない洗浄液タンク及びポンプと、該ポンプと噴霧ノズル９５２とを接続する液供給チューブ９５４と、液供給チューブ９５４の途中に配置されたバルブ９５６とを有している。
【０１４４】
開口部９１８が洗浄対象物（例えば被記録媒体１の受容層３０）で塞がれると上記のメカニズムで旋回空気流９３０が発生し、洗浄媒体９０５が飛翔して洗浄対象物に衝突する。
【０１４５】
筐体内の負圧化に伴って、オペレータがバルブ９５６を開くと噴霧ノズル９５２の洗浄液がインレット９２４内にミスト状に噴霧される。噴霧されたミストは、インレット９２４から流入する気流により旋回空気流９３０に気液混合流として合流し、筐体内に拡散する。ミストは、水分粒子を含んで構成される。
【０１４６】
拡散したミストは、洗浄媒体９０５に付着し、あるいは洗浄媒体９０５を湿らせ、洗浄媒体９０５の摩擦による帯電を抑制する。
【０１４７】
洗浄媒体９０５の帯電が抑制されるため、洗浄媒体９０５は後述する分離板９１４や筐体内壁に密着しにくく、洗浄媒体の滞りない循環を実現することができる。これにより、洗浄媒体９０５が分離板９１４に密着して負圧が低下することが防止される。
【０１４８】
また、筐体内に投入された洗浄媒体９０５の「旋回空気流９３０により飛翔する数量」が減らないため、「洗浄対象物の汚れの除去に適正な飛翔数量」が一定に保たれ、良好な洗浄能力が維持される。
【０１４９】
ここでは、図示しないポンプの圧力で噴霧する構成としたが、インレット９２４内を流れる高速気流の負圧作用で霧化するようにしてもよい。噴霧ノズル９５２からの噴霧は、スイッチ等でコントロールできるようにしてもよい。
【０１５０】
上記のように、筐体開口部を洗浄対象物に当て、吸引装置９１２を作動させた状態で、噴霧ノズルから微細化した洗浄液粒子を噴出させると、筐体外の空気は通気路を通り、気液混合流となって筐体内に流入する。微細化した洗浄液粒子は、洗浄媒体に付着・浸透して洗浄媒体９０５を湿らせる。
【０１５１】
吸引装置９１２を作動させた状態で筐体開口部を洗浄対象物に当てると、洗浄媒体９０５が筐体内部で旋回気流に乗って洗浄対象物に繰り返し衝突するのは、前述のとおりである。適度に湿った洗浄媒体９０５は、乾燥した洗浄媒体に比べて汚れを吸着する能力が高く、微細粒子や油性汚れを効率的に除去することができる。
【０１５２】
洗浄液の供給量を適切にコントロールすることで、図１に示す被記録媒体１のうち、溶解又は膨潤した中間層２０、受容層３０及び画像形成材料４０が除去される。
【０１５３】
なお、実施の形態２における乾式クリーニング筐体９０４の詳細については、同出願人の特願２０１１−２２６０６９を参照されたい。
【０１５４】
実施の形態２における乾式クリーニング筐体は、例えば、実施の形態１の供給手段及び擦掃手段に対応する。また、中間層２０を水分粒子により溶解又は膨潤させた状態で、擦掃手段により擦掃して、中間層２０、受容層３０及び画像形成材料４０を除去するようにしてもよい。
【０１５５】
つまり、実施の形態２における画像消去手段は、被記録媒体１が当接される開口部９１８と、外部からの空気を通す通気路９２４を介して導気された空気が吸引され、開口部９１８に被記録媒体１が当接されることで生じる旋回気流９３０により洗浄媒体９０５が飛翔する内部空間９２６と、洗浄媒体が飛翔する領域に水分粒子を噴霧する噴霧手段９５０と、を有する筐体９０４である。また、この筐体９０４は、噴霧された水分粒子を含んだ洗浄媒体９０５が、開口部９１８に当接された被記録媒体１に衝突することで、受容層及３０及び中間層２０を除去することができる。
【０１５６】
以上、実施の形態２における画像消去手段によれば、中間層及び受容層を擦掃した廃液が少なくなり、環境に優しい再生システムを提供することができる。
【０１５７】
［実施の形態３］
次に、実施の形態３における画像消去手段について説明する。実施の形態３では、実施の形態２における乾式クリーニング装置の別例を説明する。なお、その他の構成については、実施の形態１と同様であるため、その説明を省略する。
【０１５８】
また、実施の形態３の構成で、実施の形態２における構成と同様のものは同じ符号を付し、その説明を省略する。
【０１５９】
図１２は、実施の形態３における乾式クリーニング筐体の使用状態を示す概要側面図である。図１２に示す例では、乾式クリーニング装置９５５は、装置本体としての筐体９０４とは別体であるミスト生成手段９５８を有している。実施の形態３では、霧状の水分粒子を含むミストを生成するミスト生成手段９５８として、例えば、超音波加湿器ＫＮＣタイプ「霧太郎」（Wetmaster社製）を用いることができる。
【０１６０】
「ミスト」とは、例えば、ドライフォグ（登録商標）、ドライミスト（登録商標）と呼ばれる水分粒子のことである。
【０１６１】
ミスト生成手段９５８は、筐体９０４と一体に構成されてもよい。この場合、ミスト生成手段から発生したミストは、筐体内に導く流路で接続されればよい。
【０１６２】
ミスト生成手段９５８が筐体９０４と分離して設けられる場合には、乾式クリーニング装置９５５は「乾式クリーニングシステム」と称することもできる。
【０１６３】
図示しない電源に接続されたミスト生成手段９５８のスイッチをオンすると、図１２（Ａ）に示すように、そのミスト噴出口９５８ａからミストＭが噴出し、クラウド状に拡がる。
【０１６４】
筐体９０４の開口部９１８が洗浄対象物で塞がれると、インレット９２４から外部空気が高速で筐体内に流入して上述したメカニズムで旋回空気流９３０が発生し、洗浄媒体９０５が飛翔して洗浄対象物に衝突する。
【０１６５】
ミスト生成手段９５８が筐体の近傍に配置されていると、図１２（Ｂ）に示すように、クラウド状に拡がったミストＭは、インレット９２４から外部空気が高速で筐体内に流入する負圧作用でインレット９２４に吸い込まれ、筐体内で旋回空気流９３０に混ざり、旋回空気流９３０は気液混合流として旋回する。
【０１６６】
ミストＭが供給されている間は、旋回空気流９３０は気液混合流となる。拡散したミストＭは、洗浄媒体９０５に付着し、あるいは洗浄媒体９０５を湿らせ、あるいは洗浄対象物に接触する。
【０１６７】
洗浄対象物を被記録媒体１とすれば、被記録媒体１は、図１２に示すように、ミストＭを含んだ洗浄媒体９０５により、溶解又は膨潤した中間層２０、受容層３０、及び画像形成材料４０が除去される。
【０１６８】
つまり、実施の形態３における画像消去手段は、被記録媒体１が当接される開口部９１８と、外部からの空気を通す通気路を介して導気された空気が吸引され、開口部９１８に被記録媒体１が当接されることで生じる旋回気流９３０により洗浄媒体９０５が飛翔する内部空間９２６と、を有する筐体９０４と、霧状の水分粒子を含むミストを生成するミスト生成手段９５８と、を備えるクリーニング装置９５５である。このクリーニング装置９５５は、生成されたミストが内部空間９２６に導入されることで、水分粒子を含んだ洗浄媒体９０５が、開口部９１８に当接された被記録媒体１に衝突して受容層３０及び中間層２０を除去することができる。
【０１６９】
以上、実施の形態３における画像消去手段によれば、中間層及び受容層を擦掃した廃液が少なくなり、環境に優しい再生システムを提供することができる。
【０１７０】
なお、本発明は、上記実施の形態１−３そのままに限定されるものではなく、実施段階ではその要旨を逸脱しない範囲で構成要素を変形して具体化することができる。また、開示されている複数の構成要素の適宜な組み合わせにより、種々の発明を形成することができる。例えば、実施の形態１−３に示される全構成要素からいくつかの構成要素を削除してもよい。
【符号の説明】
【０１７１】
１  被記録媒体
１０  基質
２０  中間層
３０  受容層
４０  画像形成材料
５０  ＲＦＩＤタグ
６０  署名欄
７０  画像
１００  情報処理装置
２００  プリンタ
３００  筆記ペン
５００  画像消去装置
５０１  搬送ローラ対
５０２  除去液槽
５０３  逆噴射ノズル
５０６  保持ローラ対
５０７  保持ローラ対
５０８  ブラシローラ
５０９  ブラシクリーニングベルト
５１０  バックアップローラ
５１１  表面掃掻
５１２  ＲＦＩＤリーダーライター
５１３  トレー
６００  再生コーティング装置
６１０  中間層コーティング手段
６１１  シート搬送装置
６１２  スプレーガン
６１３  スプレーエア制御装置
６１４  ファン
６１５  ヒータ
６５０  受容層コーティング手段
６５１  スプレーガン
６５２  スプレーエア制御装置
６５３  ファン
６５４  ヒータ
９０４  筐体
９０５  洗浄媒体
９０６  吸気手段
９１８  開口部
９２６  内部空間
９５０  噴霧手段
９５５  クリーニング装置
９５８  ミスト生成手段
【先行技術文献】
【特許文献】
【０１７２】
【特許文献１】特開２００８−１４６４８８号公報
【特許文献２】特開２００７−２６１１２１号公報
【図１】
0005861501.tif 000002
【図２】
0005861501.tif 000003
【図３】
0005861501.tif 000004
【図４】
0005861501.tif 000005
【図５】
0005861501.tif 000006
【図６】
0005861501.tif 000007
【図７】
0005861501.tif 000008
【図８】
0005861501.tif 000009
【図９】
0005861501.tif 000010
【図１０】
0005861501.tif 000011
【図１１】
0005861501.tif 000012
【図１２】
0005861501.tif 000013